【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
ネットワークに接続したインターネットファクシミリ装置であって、
受信したファクシミリ原稿を電子メールにより転送先の端末装置へ転送するために、
受信したファクシミリ原稿から文字認識により文字を抽出するための文字認識手段と、
受信したファクシミリ原稿の転送先の端末装置のメールアドレスに対応させて、少なくとも画像ファイルの添付の可否、及び添付可の場合の画像ファイルのサイズの制限、並びに電子メール本文での文字数の制限を記憶するための記憶手段と、
転送先のメールアドレスに対する記憶手段の記憶値が、画像ファイルの添付が可の場合、記憶した画像ファイルのサイズの制限に従って、電子メールに添付して転送する画像データを、受信したファクシミリ原稿から生成するための画像データ処理部と、
転送先のメールアドレスに対して記憶手段で記憶した文字数の制限に従って、文字認識手段で抽出した文字から、電子メール本文にセットする文字データを生成する文字データ処理部、とを設けたことを特徴とする、インターネットファクシミリ装置。
【請求項２】
前記記憶手段は、
転送先の端末装置のメールアドレスと転送データのタイプとを記憶した配信テーブルと、
転送データのタイプとして、少なくとも画像ファイルの添付の可否、及び添付可の場合の画像ファイルのサイズの制限、並びに電子メール本文での文字数の制限を記憶した転送データ管理テーブル、とからなることを特徴とする、請求項１のインターネットファクシミリ装置。
【請求項３】
前記転送データ管理テーブルはさらに、画像データのファイル形式、及び受信したファクシミリ原稿から文字データを抽出する範囲を記憶することを特徴とする、請求項２のインターネットファクシミリ装置。
【請求項４】
ネットワークに接続したインターネットファクシミリ装置を、
受信したファクシミリ原稿の転送先の端末装置のメールアドレスに対応させて、少なくとも画像ファイルの添付の可否、及び添付可の場合の画像ファイルのサイズの制限、並びに電子メール本文での文字数の制限を記憶するための記憶手段と、
転送先のメールアドレスに対する記憶手段の記憶値が、画像ファイルの添付が可の場合、記憶した画像ファイルのサイズの制限に従って、電子メールに添付して転送する画像データを、受信したファクシミリ原稿から生成するための画像データ処理部と、
転送先のメールアドレスに対して記憶手段で記憶した文字数の制限に従って、受信したファクシミリ原稿から文字認識で抽出した文字により、電子メール本文にセットする文字データを生成する文字データ処理部、
として機能させるための、インターネットファクシミリ装置のプログラム。
【手続補正２】
【補正対象書類名】明細書
【補正対象項目名】０００３
【補正方法】変更
【補正の内容】
【０００３】
この発明の課題は、例えば受信したファクシミリ原稿等のデータについて、転送先の端末装置の表示能力に会わせた転送データを生成し、端末装置に転送できるようにすることにある（請求項１〜請求項４）。また請求項２の発明では、容量の小さなテーブルで、転送データのタイプの定義を詳細にできるようにすることを課題とする。
【手続補正３】
【補正対象書類名】明細書
【補正対象項目名】０００４
【補正方法】変更
【補正の内容】
【０００４】
この発明は、ネットワークに接続したインターネットファクシミリ装置であって、
受信したファクシミリ原稿を電子メールにより転送先の端末装置へ転送するために、
受信したファクシミリ原稿から文字認識により文字を抽出するための文字認識手段と、
受信したファクシミリ原稿の転送先の端末装置のメールアドレスに対応させて、少なくとも画像ファイルの添付の可否、及び添付可の場合の画像ファイルのサイズの制限、並びに電子メール本文での文字数の制限を記憶するための記憶手段と、
転送先のメールアドレスに対する記憶手段の記憶値が、画像ファイルの添付が可の場合、記憶した画像ファイルのサイズの制限に従って、電子メールに添付して転送する画像データを、受信したファクシミリ原稿から生成するための画像データ処理部と、
転送先のメールアドレスに対して記憶手段で記憶した文字数の制限に従って、文字認識手段で抽出した文字から、電子メール本文にセットする文字データを生成する文字データ処理部、とを設けたことを特徴とする。
【手続補正４】
【補正対象書類名】明細書
【補正対象項目名】０００５
【補正方法】変更
【補正の内容】
【０００５】
好ましくは、前記記憶手段は、転送先の端末装置のメールアドレスと転送データのタイプとを記憶した配信テーブルと、転送データのタイプとして、少なくとも画像ファイルの添付の可否、及び添付可の場合の画像ファイルのサイズの制限、並びに電子メール本文での文字数の制限を記憶した転送データ管理テーブル、とからなる。
【手続補正５】
【補正対象書類名】明細書
【補正対象項目名】０００６
【補正方法】変更
【補正の内容】
【０００６】
より好ましくは、前記転送データ管理テーブルはさらに、画像データのファイル形式、及び受信したファクシミリ原稿から文字データを抽出する範囲を記憶する。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
この発明はまた、ネットワークに接続したインターネットファクシミリ装置を、受信したファクシミリ原稿の転送先の端末装置のメールアドレスに対応させて、少なくとも画像ファイルの添付の可否、及び添付可の場合の画像ファイルのサイズの制限、並びに電子メール本文での文字数の制限を記憶するための記憶手段と、転送先のメールアドレスに対する記憶手段の記憶値が、画像ファイルの添付が可の場合、記憶した画像ファイルのサイズの制限に従って、電子メールに添付して転送する画像データを、受信したファクシミリ原稿から生成するための画像データ処理部と、転送先のメールアドレスに対して記憶手段で記憶した文字数の制限に従って、受信したファクシミリ原稿から文字認識で抽出した文字により、電子メール本文にセットする文字データを生成する文字データ処理部、として機能させるための、インターネットファクシミリ装置のプログラムにある。
【手続補正８】
【補正対象書類名】明細書
【補正対象項目名】０００９
【補正方法】変更
【補正の内容】
【０００９】
この発明のインターネットファクシミリ装置やそのプログラムでは、転送先の端末装置の表示能力に合わせた転送データを生成し、これを転送することができる。その結果端末装置のユーザは、その端末装置の表示能力に合ったデータを得ることができる（請求項１〜４）。
【手続補正９】
【補正対象書類名】明細書
【補正対象項目名】００１０
【補正方法】変更
【補正の内容】
【００１０】
請求項２の発明では、転送先の端末装置毎に記憶した転送データのタイプを配信テーブルに記憶すると共に、転送データの個々のタイプの定義は、転送データ管理テーブルに記憶する。そのため転送先が増えた場合でも、転送データのタイプを配信テーブルに記憶させるだけで、転送時には転送データ管理テーブルを参照して、転送データのタイプの定義を得ることができる。また転送データ管理テーブルには、色々なタイプの転送データを定義でき、タイプの数が増えても小さなテーブルで管理することができる。
【手続補正１０】
【補正対象書類名】明細書
【補正対象項目名】００１１
【補正方法】変更
【補正の内容】
【００１１】
請求項３の発明では、さらに転送先の端末装置に応じたファイル形式で画像ファイルを添付でき、かつ文字を抽出する範囲を指定できる。
【手続補正１１】
【補正対象書類名】明細書
【補正対象項目名】００１２
【補正方法】削除
【補正の内容】